(57)【特許請求の範囲】
【請求項１】
第１プーリーを備えた昇降装置本体と、
前記第１プーリーよりも下方に第２プーリーを備えた被昇降部と、
前記第１プーリー及び前記第２プーリーに架設されたワイヤと、
前記ワイヤの一端が取り付けられていて前記ワイヤの巻き上げ及び繰り出しを行う巻上軸と、
前記ワイヤの他端が取り付けられたワイヤ支持部と、を備え、
前記ワイヤ支持部は、前記ワイヤの他端を通すワイヤ穴を上板に有するアーム部と、前記アーム部の前板及び後板のガイド穴に挿通されていて前記ワイヤの他端を締結する締結部材と、前記被昇降部が前記昇降装置本体に載置されたときに、前記ワイヤが緊張する方向に前記ワイヤの他端を付勢する付勢部材とを備え、
前記締結部材は、前記ワイヤの他端を締結する円筒状の胴体と前記胴体よりも大径のストッパーとを有し、前記胴体は、前記ガイド穴よりも内側に設けられ、前記胴体の上面には、前記付勢部材の下端と当接する水平な当接面が形成され、前記ストッパーは、前記ガイド穴よりも外側に設けられ、前記締結部材は、前記付勢部材の付勢力に応じて、前記ガイド穴に沿って移動可能に設けられていることを特徴とする昇降装置。
【請求項２】
請求項１に記載の昇降装置と、
用紙を搬送ベルトで搬送する用紙搬送ユニットと、を備え、
前記用紙搬送ユニットは、前記昇降装置の前記被昇降部に載置され、
前記昇降装置は、前記用紙に対して画像形成処理を行うときには前記ワイヤを巻き上げて前記被昇降部を上昇させて前記用紙搬送ユニットを印字位置に移動させ、
前記搬送ベルトのクリーニング処理を行うときには前記ワイヤを繰り出して前記被昇降部を下降させて前記用紙搬送ユニットを退避位置に移動させることを特徴とする画像形成装置。
【発明の詳細な説明】
【技術分野】
【０００１】
本発明は、搬送ベルトを備えた用紙搬送ユニット等を昇降する昇降装置及びこの昇降装置を備えたインクジェット式の画像形成装置に関する。
【背景技術】
【０００２】
従来、インクジェット式画像形成装置では、画像データの情報に基づいて用紙に対してインクを吐出する記録ヘッドの下方に、用紙を搬送する用紙搬送ユニットを備えている。用紙搬送ユニットは、駆動ローラー、従動ローラー及びテンションローラー等の各種ローラーに無端状の搬送ベルトを巻き掛けて構成される。
【０００３】
このようなインクジェット式画像形成装置では、用紙搬送ユニットにおいて用紙のジャム（紙詰まり）が生じたり、破れた用紙が搬送されたりすることで、記録ヘッドからのインクが適切に用紙に吐出されずに搬送ベルトに付着して汚すことがある。搬送ベルトに付着したインクは、次に搬送される用紙を汚すことになり、正常な印刷状態を阻害してしまう。
【０００４】
そこで、インクジェット式画像形成装置には、用紙搬送ユニットを印字位置（用紙搬送位置）と退避位置（クリーニング位置）とに移動させる昇降装置を備えたものがある。そして、用紙搬送ユニットが退避位置に配置されたときに、クリーニングローラー等を備えたクリーニングユニットによって、搬送ベルトの表面に付着したインクを除去する。
【０００５】
このような昇降装置は、例えば、被昇降部としてのユニット載置部に用紙搬送ユニットを載置し、装置本体に備えたプーリーとユニット載置部に備えたプーリーとにワイヤを架設して構成される。そして、ワイヤを巻き上げることでユニット載置部を上昇させて用紙搬送ユニットを印字位置に移動させ、また、ワイヤを繰り出すことでユニット載置部を下降させて用紙搬送ユニットを退避位置に移動させる。
【０００６】
例えば、特許文献１のインクジェット記録装置は、搬送ユニットと、搬送ユニットを昇降させる昇降ユニットとを備える。昇降ユニットは、載置部及び複数のプーリーを備える昇降部と、一対の側板、一対の側板をつなぐように配置される巻上軸及び巻上軸を回転させるモーターを備える昇降ユニット本体と、プーリーに掛け渡されると共に一端が巻上軸に固定され他端が昇降ユニット本体に接続される複数のワイヤと、ワイヤと昇降ユニット本体との間に配置される検知部と、検知部によりワイヤが所定の力で引っ張られたことが検知された場合にモーターの駆動を停止させる駆動制御部と、を備える。
【先行技術文献】
【特許文献】
【０００７】
【特許文献１】特開２０１２−１９２５２４号公報
【発明の概要】
【発明が解決しようとする課題】
【０００８】
上記のような昇降装置では、ワイヤを繰り出してユニット載置部（被昇降部）を下降させたときに、被昇降部が装置本体の底部に載置される場合がある。この場合、ユニット載置部がワイヤで吊り下げられないので、ワイヤが弛んだ状態になる。このようにワイヤに弛みが生じると、ワイヤがプーリーから外れて脱落するおそれがある。また、ワイヤがプーリーから脱落することを防止するために、ワイヤが架けられた状態のプーリーを覆うカバーを設けて構成されることがある。しかしながら、この構成では、ワイヤが弛んだときにワイヤがプーリーから外れてプーリーとカバーとの隙間に挟まってワイヤの巻き上げ及び繰り出し動作ができなくなり、ユニット載置部の昇降動作ができなくなるおそれがある。
【０００９】
そこで、本発明は上記事情を考慮し、被昇降部の載置に拘らずワイヤがプーリーから外れるのを防止することを目的とする。
【課題を解決するための手段】
【００１０】
本発明の昇降装置は、第１プーリーを備えた装置本体と、前記第１プーリーよりも下方に第２プーリーを備えた被昇降部と、前記第１プーリー及び前記第２プーリーに架設されたワイヤと、前記ワイヤの一端が取り付けられていて前記ワイヤの巻き上げ及び繰り出しを行う巻上軸と、前記ワイヤの他端が取り付けられたワイヤ支持部と、を備え、前記ワイヤ支持部は、前記被昇降部が前記装置本体に載置されたときに、前記ワイヤが緊張する方向に前記ワイヤの他端を付勢する付勢部材を備えていることを特徴とする。
【発明の効果】
【００１１】
本発明によれば、被昇降部の載置に拘らずワイヤがプーリーから外れるのを防止することが可能となる。
【図面の簡単な説明】
【００１２】
【図１】本発明の一実施形態に係るプリンターを示す図である。
【図２】本発明の一実施形態に係るプリンターの昇降装置を示す斜視図である。
【図３】本発明の一実施形態に係るプリンターの昇降装置を示す断面図である。
【図４】本発明の一実施形態に係るプリンターにおける昇降装置のワイヤ支持部を示す斜視図である。
【図５】本発明の一実施形態に係るプリンターにおける昇降装置のワイヤ支持部の締結部材及び付勢部材を示す分解斜視図である。
【図６】本発明の一実施形態に係るプリンターにおける昇降装置のワイヤ支持部の締結部材及び付勢部材並びにその周辺を示す断面図である。
【図７】本発明の一実施形態に係るプリンターの昇降装置におけるワイヤを巻き上げた状態のワイヤ支持部を示す正面図である。
【図８】本発明の一実施形態に係るプリンターの昇降装置におけるワイヤを巻き上げた状態のワイヤ支持部を示す断面図である。
【図９】本発明の一実施形態に係るプリンターの昇降装置におけるワイヤを繰り出した状態のワイヤ支持部を示す正面図である。
【図１０】本発明の一実施形態に係るプリンターの昇降装置におけるワイヤを繰り出した状態のワイヤ支持部を示す断面図である。
【発明を実施するための形態】
【００１３】
まず、図１を参照しながら、インクジェット式の画像形成装置としてのカラープリンター１（以下、「プリンター１」と略称する。）の全体の構成について説明する。以下、図１における紙面手前側をプリンター１の正面側（前側）とする。
【００１４】
図１に示されるように、プリンター１は、箱型形状のプリンター本体２を備えている。プリンター本体２の下部には用紙Ｐを収納する給紙カセット３が引出可能に収容されている。
【００１５】
プリンター本体２の右側部には、用紙Ｐの搬送路４が形成されている。搬送路４の下端部には給紙ローラー５が給紙カセット３の近傍に設けられ、給紙ローラー５の右方には、搬送ローラー６が設けられている。搬送路４の上端部にはレジストローラー７が設けられている。
【００１６】
プリンター本体２の中央部には、用紙搬送ユニット８（被昇降部）が昇降装置１０によって昇降可能に設けられている。用紙搬送ユニット８は、搬送フレーム１１と、駆動ローラー１２と、従動ローラー１３と、テンションローラー１４と、対向ローラー１５と、無端状の搬送ベルト１６と、吸気部１７とを備えている。昇降装置１０については後述する。
【００１７】
駆動ローラー１２は、搬送フレーム１１の左上隅部に回転可能に支持され、従動ローラー１３は、搬送フレーム１１の右上隅部に回転可能に支持され、テンションローラー１４は、搬送フレーム１１の中央下部に回転可能に支持され、対向ローラー１５は、搬送フレーム１１の左下部に回転可能に支持されている。
【００１８】
搬送ベルト１６は、駆動ローラー１２、従動ローラー１３、テンションローラー１４及び対向ローラー１５に巻き掛けられている。搬送ベルト１６には多数の吸気孔（図示せず）が設けられている。
【００１９】
吸気部１７は、搬送ベルト１６に囲まれるように配置され、上側に吸気口（図示せず）を備えて、搬送ベルト１６の上方から内側へと吸気するように構成されている。
【００２０】
また、プリンター本体２の中央部には、用紙搬送ユニット８の上方に４セットの記録ヘッド１８（１８Ｋ、１８Ｃ、１８Ｍ、１８Ｙ）が並設されている。各記録ヘッド１８は、用紙Ｐの搬送方向における上流側（本実施形態では右側）から順に、ブラック（Ｋ）、シアン（Ｃ）、マゼンタ（Ｍ）、イエロー（Ｙ）の各色に対応している。以下、色を特定して説明する場合を除き、記録ヘッド１８について「Ｋ」、「Ｃ」、「Ｍ」、「Ｙ」の記号は省略する。各記録ヘッド１８には、搬送ベルト１６の上面と対向するようにして、ノズル（図示せず）が設けられている。
【００２１】
プリンター本体２の上部には、４つのインクコンテナ２０（２０Ｋ、２０Ｃ、２０Ｍ、２０Ｙ）が、前後方向に着脱可能に並設されている。４つのインクコンテナ２０は、インクの色ごとに設けられており、用紙Ｐの搬送方向における上流側（本実施形態では右側）から順に、ブラック（Ｋ）、シアン（Ｃ）、マゼンタ（Ｍ）、イエロー（Ｙ）の各色のインクを収容している。以下、色を特定して説明する場合を除き、インクコンテナ２０について「Ｋ」、「Ｃ」、「Ｍ」、「Ｙ」の記号は省略する。
【００２２】
各インクコンテナ２０は、サブコンテナ（図示せず）を介して各記録ヘッド１８に接続されており、各インクコンテナ２０に収容されたインクが、サブコンテナに一旦貯留された後、各記録ヘッド１８に供給されるようになっている。なお、サブコンテナは、記録ヘッド１８及びインクコンテナ２０と同様に、ブラック（Ｋ）、シアン（Ｃ）、マゼンタ（Ｍ）、イエロー（Ｙ）の各色に対応して設けられる。
【００２３】
また、プリンター本体２の中央部には、クリーニングローラー２２を備えたクリーニングユニット２１が用紙搬送ユニット８の左下側（退避位置側）に設けられている。
【００２４】
また、プリンター本体２の左側部には、排出機構２３が設けられている。排出機構２３は、用紙搬送ユニット８の左上方に設けられる乾燥装置２４と、乾燥装置２４の左方に設けられる排出ローラー２５と、排出ローラー２５の下方に設けられて排出口２６を介してプリンター本体２の外部に突出する排紙トレイ２７とを備えている。
【００２５】
次に、このような構成を備えたプリンター１の画像形成動作について説明する。
【００２６】
プリンター１が外部コンピューター等から画像データを受信すると、給紙カセット３内に収納された用紙Ｐが、給紙ローラー５によって搬送路４へと送り出される。搬送路４に送り出された用紙Ｐは、搬送ローラー６によって搬送路４の下流側へと搬送され、レジストローラー７によって搬送路４から搬送ベルト１６の上面へと送り出される。
【００２７】
このとき、吸気部１７を稼働して、搬送ベルト１６の吸気孔及び吸気部１７の吸気口を介して、搬送ベルト１６の上面側から吸気部１７へと空気が吸引される。そして、搬送ベルト１６の上面へと送り出された用紙Ｐは、吸気部１７の吸引力によって搬送ベルト１６の上面に吸着される。
【００２８】
一方、各記録ヘッド１８には、各インクコンテナ２０からインクが供給されている。各記録ヘッド１８は、搬送ベルト１６に吸着された用紙Ｐに対して、外部コンピューター等から受信した画像データの情報に基づいてインクを吐出する。これにより、カラーインク画像が用紙Ｐの表面に形成される。カラーインク画像を形成された用紙Ｐは、乾燥装置２４によって表面のインクを乾燥された後、排出ローラー２５によって排出口２６から排紙トレイ２７上に排出される。
【００２９】
次に、昇降装置１０について図２〜図６を参照して説明する。昇降装置１０は、用紙搬送ユニット８を印字位置（用紙搬送位置）と退避位置（クリーニング位置）との間で昇降動作させるものであって、用紙搬送ユニット８の下方に設けられている。昇降装置１０は、図２及び図３に示すように、装置本体３０と、ユニット載置部３１（被昇降部）と、ワイヤ３２と、巻上軸３３と、駆動部３４と、ワイヤ支持部３５とを備えている。
【００３０】
装置本体３０は、用紙搬送ユニット８を収納可能な箱状の筐体であって、上側が開口している。また、装置本体３０には、複数の本体側プーリー３６（第１プーリー）が設けられていて、複数の本体側プーリー３６は、例えば、少なくとも装置本体３０の左前部、左後部、右前部及び右後部の４か所において前後方向を軸方向として回転可能に設けられる。
【００３１】
ユニット載置部３１は、複数の本体側プーリー３６よりも下方に配置されていて、底板３７と、複数の側板３８とを備える。ユニット載置部３１の底板３７上には、用紙搬送ユニット８、特にその搬送フレーム１１が載置される。ユニット載置部３１の複数の側板３８は、例えば、底板３７の左前部、左後部、右前部及び右後部のそれぞれに立設され、複数の側板３８のそれぞれには、載置部側プーリー３９（第２プーリー）が前後方向を軸方向として回転可能に設けられる。
【００３２】
巻上軸３３は、装置本体３０内の右側上部で前後方向を軸方向として回転可能に設けられている。駆動部３４は、例えば、モーター等であって、巻上軸３３を回転駆動するように装置本体３０に取り付けられる。
【００３３】
ワイヤ支持部３５は、装置本体３０内の左前部及び左後部のそれぞれに設けられている。左前部及び左後部のワイヤ支持部３５は、左右対称な同様の構成を有し、図２及び図３では、左後部のワイヤ支持部３５のみが示されている。以下では、左後部のワイヤ支持部３５について説明し、左前部のワイヤ支持部３５の説明は省略する。
【００３４】
ワイヤ支持部３５は、図４に示すように、アーム部４０と、回動軸４１と、弾性部材としてのばね４２と、規制部材４３と、検知部４４と、締結部材４５と、付勢部材４６とを備える。
【００３５】
アーム部４０は、左右方向に長い形状を有し、上板５０と、上板５０の前後端から下方に延びる前板５１及び後板５２とを備えて一体的に構成される。アーム部４０の上板５０には、ワイヤ３２を通すワイヤ穴５３が一方側（右側）に設けられ、上板５０の下面には、ワイヤ穴５３の周りに付勢部材４６の上端を支持する支持部５４が設けられるとよい（図６参照）。アーム部４０の前板５１及び後板５２には、締結部材４５の移動をガイドする上下方向に長いガイド穴５５がワイヤ穴５３の下方に設けられている。また、アーム部４０の後板５２の一方側（右側）端部には、後方に突出した被検知部５６が設けられている。
【００３６】
回動軸４１は、前後方向を軸方向にしてアーム部４０の前板５１及び後板５２の中央付近に軸支されていて、アーム部４０を回動軸４１の周りに回動可能にしている。
【００３７】
ばね４２は、一端がアーム部４０の一方側（右側）の下部に取り付けられ、他端が例えば装置本体３０の底板３７に取り付けられていて、アーム部４０の一方側を下方に付勢している。規制部材４３は、アーム部４０の他方側（左側）の上方に設けられる。即ち、アーム部４０は、一方側がばね４２によって下方に引っ張られると共に、他方側が規制部材４３によって上方への移動が規制されているので、所定位置で維持されている。
【００３８】
検知部４４は、アーム部４０よりも一方側（右側）に設けられ、アーム部４０の後板５２の被検知部５６の上下移動を検知するように構成されている。
【００３９】
締結部材４５は、図５に示すように、前後方向に長い略円筒状の胴体５７と、胴体５７の前後端に設けられていて胴体５７よりも大径のストッパー５８とからなり、胴体５７の上面には付勢部材４６の下端が当接するように水平な当接面が形成されている。なお、図５では、付勢部材４６と締結部材４５とを分離した状態を示している。締結部材４５の胴体５７にはワイヤ３２の他端が締結される。締結部材４５の胴体５７は、アーム部４０を前後方向に貫通するようにアーム部４０の前板５１及び後板５２のガイド穴５５に挿通され、締結部材４５のストッパー５８は、アーム部４０の前板５１及び後板５２のガイド穴５５よりも外側に設けられている。
【００４０】
付勢部材４６は、アーム部４０に対して締結部材４５を下方に付勢する部材であり、例えば、コイルばねである。コイルばねとしての付勢部材４６の内部には、ワイヤ３２が挿通され、付勢部材４６は、アーム部４０の上板５０の下面と締結部材４５の胴体５７の当接面との間に介装されている。
【００４１】
上記のような昇降装置１０において、ワイヤ３２は、昇降装置１０の前後部のそれぞれに設けられている。一方のワイヤ３２は、装置本体３０の左前部及び右前部の本体側プーリー３６と、ユニット載置部３１の左前部及び右前部の載置部側プーリー３９とに巻き掛けられ、このワイヤ３２の一端は巻上軸３３の前部に固定され、このワイヤ３２の他端は装置本体３０の左前部のワイヤ支持部３５に支持されている。他方のワイヤ３２は、装置本体３０の左後部及び右後部の本体側プーリー３６と、ユニット載置部３１の左後部及び右後部の載置部側プーリー３９とに巻き掛けられ、このワイヤ３２の一端は巻上軸３３の後部に固定され、このワイヤ３２の他端は装置本体３０の左後部のワイヤ支持部３５に支持されている。
【００４２】
次に、このような構成を備えたプリンター１における用紙搬送ユニット８の昇降装置１０による昇降動作について図７〜図１０を参照して説明する。
【００４３】
先ず、プリンター１において上記のような画像形成動作を行う場合、昇降装置１０では、駆動部３４が巻上軸３３を回転させてワイヤ３２を巻き上げる。このとき、ワイヤ３２には、昇降装置１０のユニット載置部３１及び用紙搬送ユニット８を吊り下げる張力が作用する。この張力が作用したワイヤ３２によって、ワイヤ支持部３５の締結部材４５が引っ張られ、付勢部材４６の付勢力に抗して付勢部材４６を収縮させながらガイド穴５５に沿って上方に移動する（図７及び図８参照）。
【００４４】
また、ワイヤ３２は、巻上軸３３とワイヤ支持部３５との間で緊張していて、巻上軸３３による巻き上げに応じて、巻上軸３３からワイヤ支持部３５までのワイヤ３２の長さが短くなる。そして、ワイヤ３２によって吊り下げられた用紙搬送ユニット８は、吊り下げ長さが短くなるのに伴って上昇して印字位置に位置決めされる。これにより、プリンター１は、印字位置に配置された用紙搬送ユニット８を利用して上記のような画像形成動作を行うことができる。
【００４５】
なお、用紙搬送ユニット８が印字位置まで移動したとき、ワイヤ３２の張力はワイヤ支持部３５のばね４２の張力以上になる。このとき、ばね４２が伸張すると共にワイヤ支持部３５のアーム部４０が回動軸４１の周りを回動し、アーム部４０の後板５２の被検知部５６がワイヤ支持部３５の検知部４４によって検知される。そして、プリンター１では、この検知部４４の検知結果に基づいてワイヤ３２の張力を検出して、駆動部３４による巻上軸３３の回転、即ち、巻上軸３３によるワイヤ３２の巻き上げを停止させる。
【００４６】
次に、プリンター１において用紙搬送ユニット８の搬送ベルト１６のクリーニング動作を行う場合、昇降装置１０は、駆動部３４が巻上軸３３を回転させてワイヤ３２を繰り出す。このとき、ワイヤ３２が繰り出されても、用紙搬送ユニット８がワイヤ３２に吊り下げられているので、ワイヤ３２は巻上軸３３とワイヤ支持部３５との間で緊張している。そして、巻上軸３３によるワイヤ３２の繰り出しに応じて、巻上軸３３からワイヤ支持部３５までのワイヤ３２の長さが長くなり、ワイヤ３２に吊り下げられた用紙搬送ユニット８は、吊り下げ長さが長くなるのに伴って下降する。
【００４７】
なお、用紙搬送ユニット８が印字位置よりも下方に移動すると、ワイヤ３２の張力はワイヤ支持部３５のばね４２の張力を下回る。そして、ばね４２が復元すると共にワイヤ支持部３５のアーム部４０が回動軸４１の周りを回動し、アーム部４０の上板５０が規制部材４３に当接して、アーム部４０が上記したように所定位置で維持される。
【００４８】
また、ワイヤ３２が更に繰り出されて、用紙搬送ユニット８が下降して退避位置へと移動すると共に、昇降装置１０のユニット載置部３１が装置本体３０の底板３７に載置されると、ユニット載置部３１及び用紙搬送ユニット８を吊り下げる張力がワイヤ３２に作用しなくなる。このとき、ワイヤ支持部３５の付勢部材４６の付勢力がワイヤ３２の張力以上になるので、付勢部材４６が復元すると共に締結部材４５をガイド穴５５に沿って下方に移動させる（図９及び図１０参照）。これにより、ワイヤ支持部３５の締結部材４５に締結されたワイヤ３２の他端が、ワイヤ支持部３５の付勢部材４６によって引っ張られるため、ワイヤ３２は弛みが生じることなく所定の張力を維持することができる。
【００４９】
本実施形態では上述のように、プリンター１の昇降装置１０は、本体側プーリー３６（第１プーリー）を備えた装置本体３０と、本体側プーリー３６よりも下方に載置部側プーリー３９（第２プーリー）を備えたユニット載置部３１（被昇降部）と、本体側プーリー３６及び載置部側プーリー３９に架設されたワイヤ３２と、ワイヤ３２の一端が取り付けられていてワイヤ３２の巻き上げ及び繰り出しを行う巻上軸３３と、ワイヤ３２の他端が取り付けられたワイヤ支持部３５と、を備え、ワイヤ支持部３５は、ユニット載置部３１が装置本体３０に載置されたときに、ワイヤ３２が緊張する方向にワイヤ３２の他端を付勢する付勢部材４６を備えている。
【００５０】
これにより、ユニット載置部３１や用紙搬送ユニット８等の被昇降部を吊り下げる張力がワイヤ３２に作用していない場合でも、ワイヤ支持部３５の締結部材４５に締結されたワイヤ３２の他端が、ワイヤ支持部３５の付勢部材４６によって引っ張られるため、ワイヤ３２は弛みが生じることなく所定の張力を維持することができる。従って、被昇降部の載置に拘らずワイヤ３２が装置本体３０の本体側プーリー３６やユニット載置部３１の載置部側プーリー３９から外れるのを防止することが可能となる。
【００５１】
また、本実施形態では、ワイヤ支持部３５は、ワイヤ３２の他端を締結する締結部材４５を備え、締結部材４５は、付勢部材４６の付勢力に応じて移動可能に設けられている。例えば、ユニット載置部３１が装置本体３０に載置された際にワイヤ３２に５ｍｍの弛みが生じると想定される場合には、ワイヤ支持部３５は付勢部材４６を１０ｍｍの範囲で移動可能に構成すれば十分である。これにより、ワイヤ支持部３５を、簡易な構成で実現することができる。
【００５２】
更に、本実施形態では、プリンター１は、上記したような昇降装置１０と、用紙を搬送ベルト１６で搬送する用紙搬送ユニット８と、を備え、用紙搬送ユニット８は、昇降装置１０のユニット載置部３１に載置され、昇降装置１０は、用紙に対して画像形成処理を行うときにはワイヤ３２を巻き上げてユニット載置部３１を上昇させて用紙搬送ユニット８を印字位置に移動させ、搬送ベルト１６のクリーニング処理を行うときにはワイヤ３２を繰り出してユニット載置部３１を下降させて用紙搬送ユニット８を退避位置に移動させるように構成されている。
【００５３】
本実施形態では、付勢部材４６の付勢力に応じて移動可能な締結部材４５にワイヤ３２の他端を締結するワイヤ支持部３５の構成を説明した。しかしながら、他の異なる実施形態では、ユニット載置部３１や用紙搬送ユニット８等の被昇降部を吊り下げる張力がワイヤ３２に作用していない場合に、ワイヤ３２の他端に対してワイヤ３２が緊張する方向に付勢部材４６の付勢力を作用させることができれば、ワイヤ支持部３５の構成はこれに限定されない。
【００５４】
本実施形態では、プリンター１に本発明の構成を適用する場合について説明したが、他の異なる実施形態では、複写機、ファクシミリ、複合機等の他の異なる画像形成装置に本発明の構成を適用することも可能である。
【符号の説明】
【００５５】
１  カラープリンター（画像形成装置）
８  用紙搬送ユニット
１０  昇降装置
１６  搬送ベルト
２１  クリーニングユニット
３０  装置本体
３１  ユニット載置部
３２  ワイヤ
３３  巻上軸
３４  駆動部
３５  ワイヤ支持部
３６  本体側プーリー（第１プーリー）
３９  載置部側プーリー（第２プーリー）
４０  アーム部
４５  締結部材
４６  付勢部材
【図１】
0006347218.tif 000002
【図２】
0006347218.tif 000003
【図３】
0006347218.tif 000004
【図４】
0006347218.tif 000005
【図５】
0006347218.tif 000006
【図６】
0006347218.tif 000007
【図７】
0006347218.tif 000008
【図８】
0006347218.tif 000009
【図９】
0006347218.tif 000010
【図１０】
0006347218.tif 000011